(57)【要約】      （修正有）【課題】岩綿吸音板の切断を迅速に、かつ、正確に行うことができる切断定規を提供する。【解決手段】切断定規２において、定規本体３はプラスチックなどの透明な部材で、本体３の裏側に長辺４に沿って寸法を示す目盛６を表示している。長辺と直角の一短辺には、カッターを当てて岩綿吸音板を切り離す際にカッターの滑りを良くし定規本体３に強度を与えるための補強部材８が取り付けてある。また、長辺４にはスライドガイド１０を取り付け、スライドガイド１０を岩綿吸音板１４の下端にあてがって、切断定規２を岩綿吸音板１４上において平行にスライドさせる。本体３に取っ手１２を設け、スライドをし易くするとともに、岩綿吸音板１４の切断時には上からの圧力を加えて切断定規の停止位置からずれないようにする。【選択図】図２
0003215031.tif 000002
【実用新案登録請求の範囲】
【請求項１】
合成樹脂からなる平板状の定規本体の長辺と短辺とが右下隅で直角に交わり、
前記長辺に沿って、前記定規本体の裏面には前記長辺の右端からの寸法を表す目盛り線があり、少なくとも前記定規本体の前記目盛り線部分が透明で、
かつ、前記長辺に沿って、前記定規本体から裏面側へ突き出したプレートがあることを特徴とする、岩綿吸音板用の切断定規。 
【請求項２】
前記定規本体の表面に取っ手があることを特徴とする、請求項１の岩綿吸音板用の切断定規。
【請求項３】
前記定規本体の表面に、前記長辺に平行な長溝が設けられ、
前記長溝には、前記長溝に沿ってスライドするストッパーと前記ストッパーを固定する部材とが設けられたことを特徴とする、請求項１または２の切断定規。
【考案の詳細な説明】
【技術分野】
【０００１】
この考案は、内装材、特に岩綿吸音板の切断時に使用する定規に関する。
【背景技術】
【０００２】
建材ボードの切断定規に関する出願には、例えば特開平7-47180がある。内装材の加工時に使用する道具は、正確さの他、取り扱いが容易であること、軽量であること、などが求められる。一方、岩綿吸音板の切断に特化した定規は見当たらない。
【先行技術文献】
【特許文献】
【０００３】
【特許文献１】特開平７-４７１８０号
【考案の概要】
【考案が解決しようとする課題】
【０００４】
岩綿吸音板は、岩綿を主原料とし板状に成型した内装材で、吸音性・断熱性・防火性などに優れ、軽量であり、主に天井材に用いられている。その施工時には、何枚もの岩綿吸音板を天井などに貼り付けていき、天井の角部分などでは貼り付け箇所のサイズに合わせて岩綿吸音板を切断する作業をその都度行っている。必要なサイズに切断するには、貼り付け箇所のサイズに合わせて一枚ごとにスケールで測定し、線引きを行ったりした後に裁断するので、手間がかかる。現場で何枚もの岩綿吸音板を手早く切るためには、簡単な構造で使い勝手が良い道具が求められる。
この考案の課題は、岩綿吸音板の切断を迅速にかつ正確に行うことができる便利な切断定規を提供することにある。
【課題を解決するための手段】
【０００５】
この考案の綿吸音板用の切断定規は、合成樹脂からなる平板状の定規本体の長辺と短辺とが右下隅で直角に交わり、
前記長辺に沿って、前記定規本体の裏面には前記長辺の右端からの寸法を表す目盛り線があり、少なくとも前記定規本体の前記目盛り線部分が透明で、
かつ、前記長辺に沿って、前記定規本体から裏面側へ突き出したプレートがあることを特徴とする。
平板状の定規の一長辺を下側、すなわち手前とした場合に、右側に直角の短辺が位置するようにする。岩綿吸音板は板状であり、岩綿吸音板と定規本体のそれぞれ下側長辺とを重ね合わせ、この長辺に沿って切断定規を岩綿吸音板上をスライドさせる。切断定規の長辺に沿って、前記定規本体から裏面側へ突き出したプレートが設けられ、これをスライドガイドする。
長辺に沿って、さらに寸法を測るための目盛り線を、長辺の右端を基準位置０とするように設ける。目盛り線は、定規本体の裏面に表示して、定規本体の厚みから生じる視線のずれを防止する。そして、少なくとも前記定規本体の前記目盛り線部分を透明とすると、表面から目盛り線を読み取ることができる。
【０００６】
本考案の定規の使用に際しては、定規本体の長辺に沿って設けたプレートに岩綿吸音板の下側長辺をあてがい、岩綿吸音板の長辺に沿って目盛り線を見ながら、切断箇所に対応する目盛り線まで岩綿吸音板上をスライドさせる。必要なサイズの目盛り線に岩綿吸音板の左端が達すれば、その位置でスライドを止めて、定規本体の右側端部に刃物を当ててこれに沿って切り落とす。岩綿吸音板は石膏ボードなどのように板紙などに包まれていないので、刃物ですぱっと切ることができる。
定規本体は少なくとも目盛り線部分を透明にした合成樹脂を用いるので、目盛り線と岩綿吸音板との位置合わせが表から目視でき、正確な寸法での切断が簡単に行える。また軽量で作業が容易で持ち運びし易い。また、目盛り線と岩綿吸音板との位置合わせが簡単で、正確な寸法での切断が可能である。
【０００７】
好ましくは、この考案の岩綿吸音板の切断定規は、前記定規本体の表面に取っ手があることを特徴とする。切断定規のスライドが容易にできる。
【０００８】
また好ましくは、この考案の岩綿吸音板の切断定規の表面には、前記定規本体の表面に、前記長辺に平行な長溝が設けられ、
前記長溝には、前記長溝に沿ってスライドするストッパーと前記ストッパーを固定する部材とが設けられたことを特徴とする
本考案の定規の表面には、定規本体の長辺方向に、すなわち定規本体のスライド方向に長溝が設けられる。長溝にはストッパーとこのストッパーを長溝に固定するための部材とがスライド可能に設けられる。ストッパーを切断位置に対応する目盛り線の位置で固定しておくと、岩綿吸音板の端部はストッパーで停止し、切断箇所を簡単に決めることができる。ストッパーを使用すると、同じサイズの何枚もの岩綿吸音板の切断を効率よく行える。ストッパーを使用しない場合は、ストッパーを上げておけば良い。
【図面の簡単な説明】
【０００９】
【図１】実施例の切断定規を示す図
【図２】実施例の切断定規の使用方法を説明する図
【図３】図３の実施例の切断定規のＡ−Ａ方向断面図
【図４】変形例の切断定規を示す図
【図５】変形例の切断定規のストッパーの、長溝に直角の断面を示す図で、（Ａ）はストッパーを使用しない場合を、（Ｂ）はストッパーを使用する場合を示す
【図６】変形例の切断定規の使用方法を説明する図
【考案を実施するための形態】
【００１０】
以下に、本願考案の最適実施例を示す。本願考案の実施に際しては、当業者の常識及び先行技術の開示に従い、実施例を適宜に変更できる。
【実施例】
【００１１】
図１〜６を用い、実施例の切断定規を説明する。実施例の切断定規２において、定規本体３はプラスチ  ックなどの透明な部材で、本体３の裏側に長辺４に沿って寸法を示す目盛６を表示している。図において、長辺４の右端に目盛０を置く。長辺と直角の一短辺７には、カッターを当てて岩綿吸音板を切り離す際にカッターの滑りを良くし定規本体３に強度を与えるための補強部材８が取り付けてある。また、長辺４にはスライドガイド１０を取り付け、スライドガイド１０を岩綿吸音板１４の下端にあてがって、切断定規２を岩綿吸音板１４上において平行にスライドさせる。スライドガイド１０の形状は、図３に示す。なお、１２は取っ手で、スライドをし易くするとともに、岩綿吸音板１４の切断時には上からの圧力を加えて切断定規の停止位置からずれないようにする。
【００１２】
岩綿吸音板の基本的なサイズの縦３００mm×横６００mmであるため、これに合わせて実施例の切断定規２の長辺の長さは６００mmとし、短辺７は３００mmより少し長くする。なお、異なったサイズの岩綿吸音板に対しては、その長辺、短辺のサイズに合った切断定規２を用いる。岩綿吸音板１４の厚みは１２mmのものが多いが、８〜１５mmなどであっても勿論良い。
【００１３】
図２に、実施例の切断定規２を用いての岩綿吸音板１４の切断について説明する。ここで岩綿吸音板１４のサイズは縦３００mm×横６００mmとし、切断定規２の長辺の長さも６００mmである。切断定規２を岩綿吸音板１４にあてがい、取っ手１２を掴んで岩綿吸音板１４の長辺１６上を矢印のように左側へスライドさせる。このときスライドガイド１０は、岩綿吸音板１４の長辺１６に沿って切断定規２がスライドするすることをガイドする。例えば３５０mmの長さの岩綿吸音板１４が必要な場合は、岩綿吸音板１４の端部１８が目盛の３５０mmの位置に来るまでスライドさせて停止させる。この位置で取っ手１２を押さえて岩綿吸音板１４を固定して切断定規１４の他端部７（補強部材８）にカッターをあてがって岩綿吸音板１４を切断すると、３５０mmと２５０mmの岩綿吸音板が得られる。
【００１４】
図３に示すように、実施例では、Ｌ字型のスライドガイド１０を切断定規１４の長辺に取り付けている。岩綿吸音板１４の長辺１６上を、スライドガイド１０にガイドされて切断定規２スライドさせると、岩綿吸音板１４の端部１８と切断定規２の端部７とを平行状態を保って移動させることができる。    
【００１５】
ここでガイド１０の高さｈは、例えば切断定規１４の本体３の厚みが３mm、岩綿吸音板１４の厚みが８mmの場合、３mm＋８mm程度とすることが好ましい。高さｈが大きいと、取っ手１２から下方へ圧力を加えても岩綿吸音板１４は本体３に押さえつけられずに、切断位置がずれてしまう恐れがある。
【００１６】
図４に、変形例の切断定規２０を示す。切断定規２０には、切断定規２の表面側に長辺４に平行に長溝２２を設ける。２４はスライド部で、図５に示すように、つまみ２６とその下部のストッパー２８、つまみ２６とストッパー２８とを連結する軸３０を有している。そして、スライド部２４はつまみ２６を長溝２２に沿って動かすことで、スライド移動する。スライド部２４にはさらに、ストッパー２８を上下動させるためのバネ３２、ワッシャ３４とを備える。
【００１７】
図５(Ａ)は、ストッパー２８を使用しない場合を示す。ストッパー２８は長溝２２内に収容させているので、ストッパー２８が定規本体３のスライドを邪魔しない。図５(Ｂ)は、ストッパー２８を下げた状態を示す。このときバネ３２はつまみ２６を押し上げ、ストッパー２８は定規本体３の下面に接して摩擦力で当て止まっている。なお、この状態からつまみ２６を９０°捻ると、ストッパー２８も９０°回動して長溝２２内に収容することができる。ストッパー２８を使用するときは、切断したい長さに対応する目盛にスライド部２４をスライドさせ、つまみ２６を廻してストッパー２８を長溝２２の下に出しておく。なお、実施例ではストッパー２８の上下にバネ３２を用いたが、バネの代わりに例えば軸３０にナットを取り付け、軸３０の内部に設けたネジとを用いて、ストッパー２８を下ろして定規本体３に締め付けるように固定しても良い。
【００１８】
図６に、切断定規２０の使用方法を示す。例えば、岩綿吸音板１４を４００mmの長さに切断したい場合、あらかじめスライド部２４を４００mmの目盛に合わせてスライドさせ、その位置でつまみ２６を廻してストッパー２８を下げておく。そして岩綿吸音板１４の端部１８近辺で切断定規２０を岩綿吸音板１４にあてがい、端部１８をストッパー２８に当接させる。そしてその位置で取っ手１２を押さえて切断定規１４の端部７で岩綿吸音板１４を切断すれば、所望のサイズに切断できる。この場合、その都度目盛を読む必要が無い。このような使用方法は、何枚もの岩綿吸音板を同じサイズに切断ずる場合に、特に便利である。またストッパー２８は端部１８に当て止まっているので、切断が一層しやすくなる。
【００１９】
実施例の切断定規によれば、
・岩綿吸音板にあてがってスライドさせるだけで、切断位置が簡単に決められる、
・けがき作業が不要になる、
・軽量で小型の切断定規であるので、扱い易く、現場への移動時に持ち運びし易い、
・定規本体は透明であるので、岩綿吸音板の端部の位置及び裏目に表示した目盛が読み取り易く、使い易い、
・また、定規本体の厚みによる目盛の読み取り誤差が生じないので、正しい位置での切断ができる、
・ストッパーを用いると、何枚もの岩綿吸音板を短時間で切断できる、
などの利点がある。
なお、実施例の切断定規は、右利き用について示したが、短辺を左側に設け右方向にスライドさせる、左利き用の切断定規であっても、もちろん良い。
【符号の説明】
【００２０】
２，２０        切断定規
３              定規本体
４              切断定規の長辺
６              目盛
７              切断定規の短辺
８              補強部材
１０            スライドガイド
１２            取っ手
１４            岩綿吸音板
１６            岩綿吸音板の長辺
１８            岩綿吸音板の短部
２２            長溝
２４            スライド部
２６            つまみ
２８            ストッパー
３０            軸
３２            バネ
３４            ワッシャ
【図１】
0003215031.tif 000003
【図２】
0003215031.tif 000004
【図３】
0003215031.tif 000005
【図４】
0003215031.tif 000006
【図５】
0003215031.tif 000007
【図６】
0003215031.tif 000008